(57)【特許請求の範囲】
【請求項１】
ラッチ（４）を備える、電気コネクタ（１）用のプラグ要素（２）であって、
前記ラッチ（４）は、回転軸（Ｒ）を中心にロック解除位置（Ｏ）からロック位置（Ｃ）へと回転可能であり、かつ、前記回転軸（Ｒ）から離間されたロック構成要素を有し、
前記プラグ要素（２）は、
前記プラグ要素（２）の差込方向と反対の方向を指す丸みを帯びた支持表面（２４ａ）を有する突出部の形態で製作される対合担持部（２４）を備えており、
前記回転軸（Ｒ）および前記ロック構成要素（４３）から離間された、少なくとも前記ロック位置（Ｃ）において前記プラグ要素（２）の前記差込方向（Ｓ）と反対の方向において前記ラッチ（４）を支持する前記対合担持部（２４）によって特徴付けられる、
プラグ要素（２）。
【請求項２】
前記ロック構成要素（４３）が、前記回転軸（Ｒ）の、前記差込方向（Ｓ）に沿って前記対合担持部（２４）から離れる方向に向けられた側に位置付けられることを特徴とする、
請求項１に記載のプラグ要素（２）。
【請求項３】
前記ラッチ（４）が対合担持部区域（４４）を有し、
前記ロック解除位置（Ｏ）から前記ロック位置（Ｃ）への前記ラッチ（４）の移動中に、前記ラッチ（４）の前記対合担持部区域（４４）が前記対合担持部（２４）と接触する、
請求項１または２に記載のプラグ要素（２）。
【請求項４】
少なくとも前記対合担持部区域（４４）が前記ロック位置（Ｃ）において前記対合担持部（２４）に押し付けられて静止しているとき、前記回転軸（Ｒ）をともに事前に決定する前記プラグ要素（２）のハウジング側枢動軸支部構成要素（２３）とラッチ側枢動軸支部構成要素（４５）との間で、前記差込方向（Ｓ）と平行に測定される遊びが存在することを特徴とする、
請求項１から３のいずれか一項に記載のプラグ要素（２）。
【請求項５】
前記ハウジング側枢動軸支部構成要素（２３）がピンの形態で製作され、前記ラッチ側枢動軸支部構成要素（４５）が開口部の形態で製作されることを特徴とする、
請求項４に記載のプラグ要素（２）。
【請求項６】
前記ロック構成要素（４３）が、少なくとも部分的に、前記回転軸を中心に湾曲した接続リンクの形態で製作されることを特徴とする、
請求項１から５のいずれか一項に記載のプラグ要素（２）。
【請求項７】
相手側プラグ要素（３）が、請求項１から６のいずれか一項に記載のプラグ要素（２）と相補の関係とされることを特徴とする、
電気コネクタ（１）用の相手側プラグ要素（３）。
【請求項８】
請求項１から６のいずれか一項に記載のプラグ要素（２）と、請求項７に記載の相手側プラグ要素（３）と、を有することを特徴とする、電気コネクタ（１）。
【請求項９】
前記ロック位置（Ｃ）において前記ロック構成要素（４３）が前記相手側プラグ要素（３）の対合ロック構成要素（３３）と係合し、前記ラッチ（４）が前記対合担持部（２４）と係合し、
少なくとも、前記ロック構成要素（４３）が、前記差込方向（Ｓ）と反対の方向において前記対合ロック構成要素（３３）に支持されるか、
または前記ラッチ（４）が、前記プラグ要素（２）が前記相手側プラグ要素（３）と１つにされる前記差込方向（Ｓ）において前記対合担持部（２４）に支持されることを特徴とする、
請求項８に記載の電気コネクタ（１）。
【請求項１０】
前記回転軸（Ｒ）が、少なくとも前記ロック位置（Ｃ）において前記差込方向（Ｓ）と平行な力を受けないことを特徴とする、
請求項８または９に記載の電気コネクタ（１）。
【請求項１１】
前記対合担持部（２４）および前記対合ロック構成要素（３３）が、前記コネクタ（１）の高さ方向（Ｚ）に沿って、実質的に前記コネクタ（１）の中心軸（Ｍ）のレベルに配置されることを特徴とする、
請求項９または１０に記載の電気コネクタ（１）。
【請求項１２】
少なくとも前記ロック位置（Ｃ）において、前記回転軸（Ｒ）が、前記対合ロック構成要素（３３）と前記対合担持部（２４）との間に形成される力線の外側に位置付けられることを特徴とする、
請求項９から１１のいずれか一項に記載の電気コネクタ（１）。
【発明の詳細な説明】
【技術分野】
【０００１】
本発明は、電気コネクタ用のプラグ要素に関する。このプラグ要素は、回転軸を中心にロック解除位置からロック位置へと回転可能でありかつこの回転軸から離間されたロック構成要素を有するラッチを備える。
【０００２】
さらに、本発明は、電気コネクタ用の相手側プラグ要素に関する。
【０００３】
本発明は、電気コネクタにも関する。
【背景技術】
【０００４】
上記した型（type）のプラグ要素および相手側プラグ要素を有する電気コネクタが、先行技術から知られている。プラグ要素および相手側プラグ要素は一般に、これらが差込方向および対向差込方向（counter plugging direction）において１つにされて、これらの中に収容されたコンタクト要素と対合コンタクト要素を導電的な様式で互いと接触させることができるように設計される。
【０００５】
プラグ要素および相手側プラグ要素が差し込まれて１つになるときに生じる嵌合力をより良好に克服するために、およびプラグ要素をこれらが完全に差し込まれて１つになる最終差込位置において固定するために、ラッチおよびプッシャなどの補助具が使用される。ラッチは一般に、プラグ要素上に回転可能に装着され、相手側プラグ要素上に係合して、そうしてロック解除位置からロック位置へと移動されるようになっている。これらのプラグ要素と相手側プラグ要素は、互いに向かって移動されて、嵌合力が克服される。この場合、ラッチ上に成形されたロック構成要素と相手側プラグ上に成形された対合ロック構成要素との間の嵌合力は、一方の側でおよび他方の側で、ラッチから、回転軸上へと伝達される。この回転軸は、プラグ要素上に位置付けられるとともに、ラッチを回転可能に装着する際に中心となる。
【０００６】
先行技術から知られているラッチを備えるコネクタを用いる場合、回転軸を形成するプラグ要素上の構成要素およびラッチ上の構成要素が、ラッチの繰り返しの使用によって摩耗し、さらに、嵌合力を克服した後であっても、一方ではプラグ要素とラッチとの間の締め付け力が、他方ではラッチと相手側プラグ要素との間の締め付け力が、回転軸を事前に決定する構成要素の材料疲労をもたらし得るという問題が存在する。このことは結果的に、締め付け力に起因する摩耗および長期の応力付加に、コネクタの所望の寿命にわたって構成要素が耐えることができる程度にこれらの構成要素を安定させるためには、平均を上回る寸法を用いるしかない、という欠点をもたらす。
【発明の概要】
【発明が解決しようとする課題】
【０００７】
上述したこれらの問題および欠点を考慮して、先行技術から知られているラッチを備えるコネクタに関して、本発明の根底にある目的は、できるだけ小さい寸法を有するラッチの回転軸を事前に決定する構成要素において、可能なかぎり最大の締め付け力を提供することである。
【課題を解決するための手段】
【０００８】
本発明によれば、この目的は、冒頭に記載したプラグ要素に関して、回転軸およびロック構成要素から離間された、少なくともロック位置においてプラグ要素の差込方向と反対の方向においてラッチを支持する、対合担持部（counter bearing）が設けられる、という形で達成される。
【０００９】
冒頭に記載した相手側プラグ要素を用いて、この目的は本発明により、この相手側プラグ要素が本発明により設計されたプラグ要素を補完するようにすることによって達成される。
【００１０】
冒頭に記載した電気コネクタを用いて、この目的は本発明により、本発明によるプラグ要素および本発明による相手側プラグ要素を有するコネクタによって達成される。
【００１１】
対合担持部によって締め付け力を分散可能であることは、本発明による解決法の利点である。このことは、回転軸の負荷を除くことに寄与する。回転軸またはこの回転軸を形成する構成要素にこうして、できるだけ小さな寸法を与えることができる。コネクタが動作中に振動を受ける場合、この振動は、回転軸に対して作用するだけではなく、対合担持部によって吸収され得、こうして回転軸の負荷がさらに除かれる。
【００１２】
ロック構成要素を、たとえばラッチ上の回転軸に対して偏心させて形成しおよび／または配設可能である。ロック構成要素を、これが、コネクタの相手側プラグ要素上に配設可能な対合ロック構成要素と係合可能となるように製作することができる。この相手側プラグ要素は、差込方向への差込によってプラグ要素と１つになる。回転軸から離間されたプラグ要素の対合担持部は、回転するラッチの対合担持部区域と協働し、差込方向と反対の方向においてこの回転するラッチを支持することができる。
【００１３】
本発明による解決法を、各々それ自体で有利である以下の追加の実施形態と任意で組み合わせること、およびこれらによってさらに改善することができる。
【００１４】
ロック構成要素を、少なくともいくつかの区域において、回転軸の、差込方向に沿って対合担持部から離れる方向に向けられた側に位置付けることができる。言い換えれば、回転軸を、ロック構成要素と対合担持部との間に位置付けることができる。対合ロック構成要素を、回転軸の、対合担持部から離れる方向に向けられた側に位置付けることができる。こうして、対合担持部とロック構成要素または対合ロック構成要素との間で、回転軸の負荷を除くことができる。これは、締め付け力が、差込方向と反対の方向において対合担持部とラッチとの間で、および差込方向においてそのロック構成要素と対合ロック構成要素との間で、ラッチを介してそれぞれ作用するからである。いずれの場合も、締め付け力は、回転軸から離れる方向に作用する。締め付け力は、回転軸の領域において可能な限り中和される。
【００１５】
ラッチを、対合担持部上に弾性的に支持することができる。対合担持部に押し付けるように支持されるラッチの区域を、担持部および／または回転軸が通過するラッチのロック区域に、接続区域によって弾性的に接続することができる。この回転軸は、この担持部および／またはロック区域を通過する。振動をこうしてラッチによって吸収することができ、可能な限りの最大締め付け力を、その弾性によって加えることができる。
【００１６】
ラッチ上に、ロック解除位置からロック位置へのラッチの移動中に対合担持部が表面上に位置する、対合担持部区域を設けることができる。対合担持部区域は、たとえば傾斜表面と対合担持部表面との間に、傾斜ランプを有し得る。この傾斜表面と回転軸との間の傾斜した距離は、対合担持部の、対合担持部表面と回転軸との間の距離よりも、大きくすることができる。傾斜ランプを、弾性材料のブリッジによって形成することができる。締め付け力を、ラッチの回転移動中に、傾斜ランプによって高めることができる。このとき、対合担持部は、まず最初に傾斜表面に当たり、次いで傾斜ランプを介して対合担持部表面上に案内される。
【００１７】
少なくとも対合担持部区域がロック位置において対合担持部に押し付けられて静止しているとき、回転軸をともに事前に決定する、プラグ要素のハウジング側枢動軸支部構成要素とラッチ側枢動軸支部構成要素との間で、差込方向と平行に測定される遊びが存在し得る。したがって、枢動軸支部の構成要素の寸法により、ラッチのフローティングマウントが可能となり、このことは、回転軸に対して作用する力をさらに最小限にするのを助ける。
【００１８】
ハウジング側枢動軸支部構成要素を、ピンの形態で製作することができ、ラッチ側枢動軸支部構成要素を、開口部の形態で製作することができる。別法として、ハウジング側枢動軸支部構成要素を、開口部の形態で製作することができ、ラッチ側枢動軸支部構成要素を、ピンの形態で製作することができる。枢動軸支部構成要素の間の、少なくとも差込方向と平行な遊びを可能にするために、開口部は、少なくとも差込方向と平行に測定された、ピンの外径よりも大きい内径を有し得る。
【００１９】
対合担持部を、差込方向と反対の方向を指す丸みを帯びた支持表面を有する突出部の形態で製作することができる。突出部として、対合担持部は、プラグ要素またはプラグ要素のハウジングから離れる方向に単純に延在する。別法として、対合担持部を、スロット、溝、または差込方向と反対の方向を指す支持表面を提供する何らかの他の実施形態の形態で製作することができる。支持表面の丸みは、対合担持部区域またはその対合担持部表面が対合担持部上まで可能な限り精確にかつ緩やかに延びること、およびそこで支持されることを可能にするのを助ける。
【００２０】
ロック構成要素を、少なくとも部分的に、回転軸を中心に湾曲した接続リンクの形態で製作することができる。ロック解除位置において、接続リンク上に成形された１つの挿入開口部は、差込方向を指すことができる。対合ロック構成要素を、接続リンクまたはロック構成要素の案内表面に沿って容易に案内することができる。ロック構成要素は、ロック解除位置からロック位置へとラッチを移動させることによって、対合ロック構成要素をプラグ要素の方向に引くことができる。
【００２１】
ロック構成要素が接続リンクの形態で製作されるとき、相手側プラグ要素上には、対合ロック構成要素を、ボルト、ペグ、またはピンなどの形態で、相応に製作することができる。別法として、ロック構成要素を、棒状の案内部または案内可能な突出部の形態で製作することができる。突出部として、ロック構成要素は、相手側プラグ要素上に成形された案内部または接続リンクと協働することができる。
【００２２】
冒頭に記載した電気コネクタを用いて、本発明による解決法を、たとえば、ロック位置においてロック構成要素が相手側プラグ要素の対合ロック構成要素と係合し、ラッチが対合担持部と係合し、少なくとも、ロック構成要素が、差込方向と反対の方向において対合ロック構成要素に押し付けるように支持されるか、またはラッチが、プラグ要素が相手側プラグ要素と１つにされる差込方向において対合担持部上に支持されるという形で、さらに改善することができる。言い換えれば、上で既に述べたように、一方ではラッチと対合担持部との間の締め付け力が、他方ではロック構成要素と対合ロック構成要素との間の締め付け力が、先行技術において慣例であるようにではなく、ロック構成要素と回転軸との間で作用することができ、したがって回転軸の負荷が除かれる。
【００２３】
少なくともロック位置において、回転軸は、差込方向と平行な力を受けないようにすることができる。したがって、少なくともロック位置において、すなわち一般にコネクタの動作中、差込方向と平行に作用する力を、ラッチと対合担持部と対合ロック構成要素との間で完全に伝達することができるか、または、回転軸を形成する構成要素を完全に保護することができる。
【００２４】
対合担持部および対合ロック構成要素を、コネクタの高さ方向に沿って、実質的にコネクタの中心軸のレベルに配置することができる。少なくとも高さ方向において、たとえば、中心軸は、プラグ要素の差込区域の中心を通って、かつ／または相手側差込区域の相手側差込区域の中心を通って延びることができる。好ましくは、中心軸は、コネクタの中立のファイバ（ｎｅｕｔｒａｌ  ｆｉｂｒｅ）に沿って延びるか、またはコネクタによって重畳される。対合担持部および対合ロック構成要素を、高さ方向においてコネクタの中心上にかつ／または中立のファイバの中心上に配設することができる。したがって、プラグ要素および相手側プラグ要素を、可能な場合にいつでも、何らかのねじれまたは横断方向の力の発生を伴わずに１つにして、ロック状態に維持することができる。このことは、差込区域および相手側差込区域の両方、ならびに対合担持部、対合担持部区域、ロック構成要素、対合ロック構成要素、および回転軸を保護するのを助ける。
【００２５】
少なくともロック位置において、差込方向と平行に測定される対合担持部と回転軸との間の距離を、差込方向と平行に測定される回転軸と対合ロック要素との間の距離よりも大きくすることができる。したがって、対合ロック構成要素と回転軸との間に位置付けられたどの区域よりも長い、回転軸と対合担持部との間に位置付けられたラッチの区域によって、嵌合力を克服するのを容易にする、可能な最高のラッチの効果を達成することができる。
【００２６】
少なくともロック位置において、対合担持部、回転軸および対合ロック構成要素を、回転軸に沿った投影において、三角形の配置で位置付けることができる。したがって、回転軸を、対合ロック構成要素と対合担持部との間に形成される力線の外側に位置付けることができる。このことは、回転軸の負荷を除くのにさらに寄与し得る。
【００２７】
以下では、付属の図面を参照し、可能な実施形態を例として使用して、本発明についてより詳細に説明する。これらの実施形態において示される特徴の組合せは、例示の目的にのみ役立つものである。特定の用途においてそれぞれの特徴の利点が特別重要でない場合、それらの個々の特徴を、それらの利点に基づいて省略することもできる。
【００２８】
実施形態の説明においては、簡潔さのために、同じ特徴および要素には、同じ参照番号を付す。同じまたは少なくとも類似の機能性を有する特徴および要素は一般に、別の実施形態または可能性を識別するために１つまたは複数のアポストロフィを付された、同じ参照番号または同じ参照文字を有する。
【図面の簡単な説明】
【００２９】
【図１】プラグ要素および相手側プラグ要素が互いから離間されかつラッチがロック解除位置にある、本発明による電気コネクタの図解的な斜視図である。
【図２】プラグ要素および相手側プラグ要素が最終差込位置にありかつラッチがロック位置にある、最終状態にある図１に示すコネクタの図解的な斜視図である。
【図３】プラグ要素および相手側プラグ要素が差込前の位置にありかつラッチがロック解除位置にある、図１および図２に示すコネクタの図解的な側面図である。
【図４】プラグ要素および相手側プラグ要素が別の差込前の位置にありかつラッチが係合位置にある、図１から図３に示すコネクタの図解的な側面図である。
【図５】プラグ要素および相手側プラグ要素が最終差込位置にありかつラッチがロック位置にある、最終状態にある図１から図４に示すコネクタの図解的な側面図である。
【図６】図５からの詳細Ｖの図である。
【発明を実施するための形態】
【００３０】
図１に、本発明によるコネクタを、図解的な斜視図で示す。コネクタ１は、プラグ要素２および相手側プラグ要素３、ならびにプラグ要素２に固定されるラッチ４を備える。さらに、コネクタ１は、封止要素５と、プラグ要素２に割り当てられたコンタクト構成（contact arrangement）６と、相手側プラグ要素３に割り当てられた対合コンタクト構成（counter contact arrangement）７と、を備える。プラグ要素２およびラッチ４は、ともに枢動軸支部（pivot bearing）８を形成し、ここにおいてラッチ４が、回転軸Ｒを中心に回転するようにプラグ要素２に固定される。
【００３１】
コネクタ１は、長手方向Ｘ、長手方向Ｘを横断して延びる横断方向Ｙ、ならびに長手方向Ｘおよび横断方向Ｙを横断して延びる高さ方向Ｚに延在する。これらは、全体としてデカルト座標系にわたっている。プラグ要素２は、これが差込方向（plugging direction）Ｓにおいて相手側プラグ要素３と嵌合できるように製作され、相手側プラグ要素３は、これが対向差込方向（counter plugging direction）Ｓ’においてプラグ要素と嵌合できるように製作される。回転軸Ｒは、横断方向Ｙと実質的に平行に、差込方向Ｓに対して横断方向に延在する。差込方向Ｓおよび対向差込方向Ｓ’は、長手軸Ｘと実質的に平行に延びる。コネクタの中心軸Ｍまたは長手軸Ｌも、長手方向Ｘと平行に延びる。
【００３２】
プラグ要素２はハウジング２０を備え、ハウジング２０は、内側輪郭２２を有するソケット状の相手側プラグ受容部（図示せず）の形態の差込区域２１を形成する。ハウジング側枢動軸支部構成要素２３が、ハウジングの側壁２０ａからピンの形態で回転軸Ｒに沿って延在する。さらに、側壁２０ａ上に、実質的に差込方向Ｓと反対の方向を指す丸みを帯びた支持および対合担持部表面４２ａを形成する、対合担持部２４が配設されている。さらに、ハウジング２０は、カバー２０ｂ、基部２０ｃ、および差込区域２１から離れる方向に向いた後側部を有する。
【００３３】
相手側プラグ要素３は、対応するように側壁３０ａ、カバー３０ｂ、基部３０ｃ、および後側部３０ｄを有する、対合ハウジング３０を有する。プラグ要素３の相手側差込区域３１は、外側輪郭３２を有するプラグの形態で製作され、封止要素５は、外側輪郭３２の周りに緊密に存在して配置される。対合ロック構成要素３３は、実質的に回転軸または横断方向Ｙと平行に、ハウジング３０の側壁３０ａから離れる方向に延在し、実質的に差込方向Ｓを指す丸みを帯びた対合ロック表面３３ａを形成する。さらに、ロック解除用構成要素３４は、実質的に横断方向Ｙと平行に、ハウジング３０の側壁３０ａから離れる方向に延在し、実質的に差込方向Ｓと反対の方向を指す丸みを帯びたロック解除表面３４ａを形成する。
【００３４】
ラッチ４は、ロック区域４１およびラッチ区域４２を有する、ラッチ本体４０を有する。接続リンクの形態のロック構成要素４３が、ロック区域４１に形成される。対合担持部区域（counter bearing section）４４は、ラッチ区域４２上に配設される。ロック構成要素４３および対合担持部区域４４は、開口部の形態でありかつハウジング側枢動軸支部構成要素２３と同心に配置されるラッチ側枢動軸支部構成要素４５を中心に、回転可能とされる。言い換えれば、ハウジング側枢動軸支部構成要素２３およびラッチ側枢動軸支部構成要素４５は、ともに枢動軸支部８を形成する。ハウジング側枢動軸支部構成要素２３は、ラッチ側枢動軸支部構成要素４５内に収容される。
【００３５】
図２は、最終状態Ｅにあるコネクタ１を示す。この最終状態Ｅにおいては、プラグ要素２および相手側プラグ要素３は、これらが最終差込位置Ｂに入るとともにラッチ４がロック位置Ｃへと移動されるまで、完全に差し込まれて１つになる。ロック構成要素４３上に成形されたロック表面４３ａは、差込方向Ｓと反対の方向において、対合ロック構成要素３３の対合ロック表面３３ａ上に支持される。対合担持部区域４４の対合担持部表面４４ａ（ここではまだ図示せず）が、差込方向Ｓにおいて対合担持部２４の支持表面２４ａ上に支持される。したがって、最終差込位置Ｂにおいて、プラグ要素２および相手側プラグ要素３は、ラッチ４によって、差込方向Ｓまたは対向差込方向Ｓ’において互いから引き離されないように固定される。
【００３６】
図３は、プラグ要素２および相手側プラグ要素３が差込前の位置Ａにあるとともに、ラッチ４がロック解除位置または解放位置Ｏにあるコネクタ１を、図解的な側面図で示す。対合ロック構成要素３３は、対向差込方向Ｓ’においておよび差込方向Ｓと反対の方向において、挿入開口部の形態の挿入区域４１ａを介して、ラッチ４のロック区域４１内に挿入される。ロック区域４１ａの側で、ラッチ４は、ラッチ側枢動軸支部構成要素４５が表面上に配設または成形される担持部区域４６を有する。ロック区域４１および担持部区域４６は、これらの間で接続リンクの形態のロック構成要素４３を締め付ける。差込方向Ｓと平行に測定される回転軸Ｒおよびロック表面４３ａは、互いから距離ｄＲ，４３ａだけ離間されて配置される。ロック区域４１および担持部区域４６は１つにされ、ラッチ４の接続区域４６によって対合担持部区域４４に接続される。対合担持部区域４４上に成形されているのは、対合担持部表面４４ａと実質的に平行に延びる、傾斜表面４４ｂである。傾斜表面４４ｂは、ランプ４４ｃによって、対合担持部表面４４ａに接続される。
【００３７】
図４は、プラグ要素２および相手側プラグ要素３が別の差込前の位置Ａ’にあるとともにラッチ４が係合位置Ｅにあるコネクタ１を、図解的な側面図で示す。開放位置Ｏに関して、ラッチ４は、ロック構成要素４３上に成形されかつ実質的に内側輪郭によって形成される、回転軸Ｒの方向を指す接続リンク状のロック構成要素４３の案内表面４３ｂが、相手側プラグ要素３上に成形された対合ロック構成要素３３の対合ロック表面３３ａ上に存在するような程度まで、回転される。回転軸Ｒと案内表面４３ｂとの間で差込方向Ｓと平行に測定される距離ｄＲ，４３ｄ、および、回転軸Ｒと対合ロック表面３３ａとの間で同様に差込方向Ｓと平行に測定される距離ｄＲ，４３ａに沿って、ロック力Ｆ１は、係合状態Ｅにおいて、回転軸Ｒと対合ロック構成要素３３との間で作用する。支持表面２４ａと案内表面４３ｂとの間で差込方向Ｓと平行に測定される距離ｄ２４ａ，４３ｂに沿って、締め付け力Ｆ２は、対合担持部２４が対合担持部区域４４と係合するとすぐに対合担持部２４に応力付加されることによって作用する。傾斜表面４４ｂは、高さ方向Ｚにおいて支持表面２４ｂの直上に配設される。そして、締め付け力Ｆ２が支持表面２４ａに作用すると、プラグ要素２および相手側プラグ要素３は、差込方向Ｓまたは対向差込方向Ｓ’において互いに向かって引かれることになる。この時点から以降、先立って比較的低いロック力Ｆ１を受けていた回転軸Ｒ、および枢動軸支部８、および枢動軸支部８を形成する枢動軸支部構成要素２３、４５の負荷が除かれる。
【００３８】
図５は、最終差込状態Ｆにあるコネクタ１を示す。対合ロック構成要素３３は、その対合ロック表面３３ａがラッチ４のロック表面４３ａを差込方向Ｓにおいて覆うように存在する。案内表面４３ｂと回転軸Ｒとの間の半径方向の距離は、その挿入区域４１ａに向いた端部からロック表面４３ａへと小さくなる。このように、ラッチ４が開放位置Ｏから係合位置Ｅを経由してロック位置Ｃへと移動するとき、プラグ要素２および相手側プラグ要素３は、差込方向Ｓまたは対向差込方向Ｓ’において互いに向かって引かれる。この効果は、ロック位置Ｃへの移動につれて強くなる。プラグ要素２と相手側プラグ要素３との間に作用するロック力および締め付け力は、支持表面２４ａが傾斜表面４４ｂからランプ４４ｃを介して対合担持部表面４４ａ上へと同時に上がっていくことによって、大きくなる。対合ロック表面３３ａと対合担持部表面４４ａとの間で差込方向Ｓと平行に測定される距離ｄ３３ａ，４４ａは、対合ロック表面３３ａと傾斜表面４４ｂとの間で同様に差込方向Ｓと平行に測定される距離ｄ３３ａ，４４ｂよりも小さい。
【００３９】
図６は、図５からの詳細Ｖを示す。ここにおいては、少なくとも最終状態Ｆにおいて、ハウジング側枢動軸支部構成要素２３およびラッチ側枢動軸支部構成要素４５が、互いとの関連において、差込方向Ｓと平行に測定されるハウジング側枢動軸支部構成要素の幅ｗ２３が同様に差込方向Ｓと平行に測定されるラッチ側枢動軸支部構成要素４５の幅ｗ４５よりも小さくなるように配置されることが特に明らかである。このことにより、差込方向Ｓにおいておよび反対の方向においての両方で、ハウジング側枢動軸支部構成要素２３とラッチ側枢動軸支部構成要素４５との距離ｄ２３，４５が存在する。ハウジング側枢動軸支部構成要素２３とラッチ側枢動軸支部構成要素４５との間の距離ｄ２３，４５は、全体として、差込方向Ｓと平行に枢動軸支部８の遊びを形成する。このことは、回転軸Ｒおよび回転軸Ｒを形成する構成要素２３、４５の負荷を除くのを助ける。
【００４０】
本発明の背後にある発想の枠組みの中で、上記の実施形態からの逸脱が可能である。
【００４１】
本発明によるコネクタ１は、選択によっては、プラグ要素２および相手側プラグ要素３を互いにロックするためのおよび嵌合力を克服するためのラッチ４を設けることのできる、これらの要素を備え得る。プラグ要素２および相手側プラグ要素３は、任意の個数および任意の形態の封止要素５、コンタクト構成６、および対合コンタクト構成７を有し得る。枢動軸支部８を、プラグ要素２とラッチ４との間にまたは相手側プラグ要素３とラッチ４との間に、任意で形成することができる。
【００４２】
本発明によるプラグ要素２には、それぞれの要件に従って任意に形成可能な側壁２０ａ、カバー２０ｂおよび基部２０ｃを有するハウジング２０を設けることができる。また、本発明によるプラグ要素２は、内側輪郭２２、ハウジング側枢動軸支部構成要素２３、対合担持部２４、および支持表面２４ａをそれぞれの要件に対応する形態および個数で有する、差込区域を有し得る。
【００４３】
相手側プラグ要素３は、それぞれの要件に従う側壁３０ａ、３０ｂ、基部３０ｃ、および後側部３０ｄを有する、対合ハウジング３を有し得る。また、相手側プラグ要素３には、任意の形態または個数の外側輪郭３２および対合ロック構成要素３３、対合ロック表面３３ａ、ロック解除用構成要素３４、ならびにロック解除表面３４ａを有する、それぞれの要件に従って設計された相手側差込区域３１を設けることができる。
【００４４】
それぞれの要件に従って、ラッチ４は、ロック区域４１と、ラッチ区域４２と、ロック表面４３ａおよび案内表面４３ｂを有するロック構成要素４３と、対合担持部表面４４ａ、傾斜表面４４ｂ、およびランプ４４ｃを有する対合担持部区域４４と、ラッチ側枢動軸支部構成要素４５と、担持部区域４６と、接続区域４７と、ハウジング側枢動軸支部構成要素２３、対合担持部２４、および対合ロック構成要素３３と協働するための挿入区域／開口部４１ａと、を有するラッチ本体４０とすることができる。
【００４５】
封止要素５を、それぞれの要件に従って形成および配置して、プラグ要素２と相手側プラグ要素３との間で形成される内部空間を封止することができる。この内部空間内には、それぞれの要件に従って形成された任意の個数のコンタクト要素６０および対合コンタクト要素７０を含むことができ、かつ、少なくとも最終差込位置Ｅにおいて互いと接触させて導電させることができる、それぞれの要件に従って形成されたコンタクト構成６および対合コンタクト構成７を配置することができる。
【００４６】
それぞれの要件に従って、本発明による枢動軸支部８を、一方ではピン、ボルト、およびペグとして、他方ではソケット、開口部、および受容部としてそれぞれ相補的に形成された枢動軸支部部品として形状形成可能な、ハウジング側枢動軸支部構成要素２３およびラッチ側枢動軸支部構成要素４５から形成することができる。
【符号の説明】
【００４７】
１  コネクタ
２  プラグ要素
３  相手側プラグ要素
４  ラッチ
５  封止要素
６  コンタクト構成
７  対合コンタクト構成
２０  ハウジング
２０ａ  側壁
２０ｂ  カバー
２０ｃ  基部
２０ｄ  後側部
２１  差込区域
２２  内側輪郭
２３  ハウジング側枢動軸支部構成要素
２４  対合担持部
２４ａ  支持／対合担持部表面
３０  対合ハウジング
３０ａ  側壁
３０ｂ  カバー
３０ｃ  基部
３０ｄ  後側部
３１  相手側プラグ区域
３２  外側輪郭
３３  対合ロック構成要素
３３ａ  対合ロック表面
３４  ロック解除用構成要素
３４ａ  ロック解除表面
４０  ラッチ本体
４１  ロック区域
４１ａ  挿入区域／開口部
４２  ラッチ区域
４３  ロック構成要素
４３ａ  ロック表面
４３ｂ  案内表面
４４  対合担持部区域
４４ａ  対合担持部表面
４４ｂ  傾斜表面
４４ｃ  ランプ
４５  ラッチ側枢動軸支部構成要素
４６  担持部区域
４７  接続区域
６０  コンタクト要素
７０  対合コンタクト要素
Ａ、Ａ’  差込前の位置／開放位置
Ｂ  最終差込位置
Ｄ  ロック解除位置
Ｅ  係合位置
Ｃ  ロック位置
Ｆ  最終状態
Ｆ１  ロック力
Ｆ２  締め付け力
Ｉ  長手軸
Ｍ  中心軸
Ｒ  回転軸
Ｘ  長手方向
Ｙ  横断方向
Ｚ  高さ方向
【図１】
0006543254.tif 000002
【図２】
0006543254.tif 000003
【図３】
0006543254.tif 000004
【図４】
0006543254.tif 000005
【図５】
0006543254.tif 000006
【図６】
0006543254.tif 000007